(57)【要約】【課題】出角部分に使用でき、製造や運搬、保管が容易な壁用部材およびこの壁用部材を使用した外壁を提供すること。。【解決手段】壁用部材１０は、長方形の板状であり、対向する２つの側面１３が全て覆われており、側面１３に表面１１と同じ意匠が施されている。対向する側面の距離が１６５ミリメートル以上１８３ミリメートル以下であってもよい。出角部分に使用する場合には壁用部材１０を半分に切断し、上下方向に角が揃うように出角の一方の壁と他方の壁に交互に配置する。壁用部材１０は従来のサイディングパネルと同様の製造方法によって容易に製造でき、平板状であるので運搬や保管も容易で破損し難い。また、角の部分につなぎ目が無いので見栄えが良く、角を丸くしたり、任意の形状の装飾を施すことも可能である。。【選択図】図１
2006169746.tif 000002
【特許請求の範囲】
【請求項１】
長方形の板状であり、少なくとも一方の側面が全て覆われており、側面に表面と同じ意匠が施されていることを特徴とする壁用部材。
【請求項２】
対向する２つの側面が全て覆われており、側面に表面と同じ意匠が施されていることを特徴とする請求項１に記載の壁用部材。
【請求項３】
対向する側面間の距離が１６５ミリメートル以上１８３ミリメートル以下であることを特徴とする請求項２に記載の壁用部材。
【請求項４】
対向する側面間の距離が９１０ミリメートル以上、３０３０ミリメートル以下であることを特徴とする請求項１に記載の壁用部材。
【請求項５】
側面から裏面側にさらに所定の長さだけ伸びていることを特徴とする請求項３または４のいずれかに記載の壁用部材。
【請求項６】
請求項１乃至５のいずれかに記載された壁用部材を上下方向に角が揃うように出角の一方の壁と他方の壁に交互に配置したことを特徴とする外壁。
【発明の詳細な説明】
【技術分野】
【０００１】
本発明は、壁用部材および壁用部材を使用した外壁に関するものであり、特に、サイディング構造の壁の出角部分に使用できる壁用部材およびこの壁用部材を使用した外壁に関するものである。
【背景技術】
【０００２】
従来、住宅等の建築物の外壁として周知のサイディングパネルが使用されている。サイディングパネルは、主としてセメント質原料やガラス繊維などの繊維質原料を練って型に詰めて成型し、硬化させた板状部材である。そして、壁の出角部分には、長尺のサイディングパネルから切り出した２枚のパネルをＬ字型に接着したコーナー用の部材が使用されていた。下記の特許文献１には、上記したコーナー用のパネル部材の製造方法が開示されている。
【０００３】
図９は、従来のコーナー用のＬ字型パネルを使用した出角部分の壁構造を示す断面図である。出角部分の柱７３には防水紙をはさんで縦胴縁７３が固着されている。そしてＬ字型のコーナー用パネル７０が釘によって縦胴縁７３固着されており、Ｌ字型のコーナー用パネル７０と長尺のパネル７１との接合部分にはコーキング剤７２が充填されている。
【特許文献１】特開平０９−１３７５７７号公報
【発明の開示】
【発明が解決しようとする課題】
【０００４】
上記した従来のＬ字状部材においては、製造に手間がかかり高価になってしまうという問題点があった。また、保管、運搬中に破損し易いので慎重に取り扱う必要があるという問題点もあった。更に、角の接合部分が露出して見栄えが悪いという問題点もあった。
【０００５】
本発明は、上記した課題を解決し、出角部分に使用でき、製造や運搬、保管が容易な壁用部材およびこの壁用部材を使用した外壁を提供することを目的とする。
【課題を解決するための手段】
【０００６】
本発明の壁用部材は、長方形の板状であり、少なくとも一方の側面が全て覆われており、側面に表面と同じ意匠が施されていることを主要な特徴とする。また、前記した壁用部材において、対向する２つの側面が全て覆われており、側面に表面と同じ意匠が施されていてもよく、この場合に、対向する側面間の距離が１６５ミリメートル以上１８３ミリメートル以下であってもよい。
【０００７】
また、前記した壁用部材において、対向する側面間の距離が９１０ミリメートル以上、３０３０ミリメートル以下であってもよく、側面から裏面側にさらに所定の長さだけ伸びていてもよい。また、本発明の外壁は、前記した壁用部材を上下方向に角が揃うように出角の一方の壁と他方の壁に交互に配置したことを主要な特徴とする。
【発明の効果】
【０００８】
本発明の壁用部材は上記のような特徴によって、従来の平板状のサイディングパネルと同様の製造方法によって容易に製造でき、平板状であるので運搬や保管も容易で破損し難いという効果がある。また、角の部分につなぎ目が無いので見栄えが良く、角を丸くしたり、任意の形状の装飾を施すことも可能であるという効果もある。
【０００９】
また、現場での施工方法も従来の平板状のサイディングボードと同じ方法で施工できるという効果もある。更に、両面が外壁である壁の端部や鋭角や鈍角の出角部分においても見栄え良く施工可能であるという効果もある。
【発明を実施するための最良の形態】
【００１０】
以下、図面を参照して実施例について説明する。
【実施例１】
【００１１】
図１は、本発明の壁用部材の実施例１の構成を示す平面図および側面図である。また、図２は、本発明の壁用部材の実施例１の構成を示すＡ−Ａ断面図であり、図３は、本発明の壁用部材の実施例１の構成を示すＢ−Ｂ断面図である。
【００１２】
実施例１の壁用部材１０は、図示されているように、全体形状が長方形の板状である。壁用部材１０の対向する２つの側面１３は全て覆われており、側面１３には表面１１と同じ形状、模様、彩色の意匠が施されている。
【００１３】
壁用部材１０の上部には上側の壁用部材の凹部１５と嵌合する板状の突起１４が設けられている。また、壁用部材１０の下部には下側の壁用部材の突起１４と嵌合する凹部１５が設けられている。
【００１４】
壁用部材１０の突起１４および凹部１５は共に両側面１３の近傍、即ち壁用部材１０の厚さより少し長い範囲には設けられていない。従って、側面１３側から見た場合には凹部１５は隠れて見えないようになっている。
【００１５】
表面１１と両側面１３の境界は角張っていてもよいし、円筒形の側面のような曲面状であってもよい。更に表面に装飾のための溝等の形状が形成されている場合には、その形状は側面にも回り込んで形成されている。
【００１６】
実施例１の壁用部材１０は、同じ意匠の長尺の壁用部材と組み合わせて使用される。従って、上下の幅は、既存の長尺の壁用部材と同じ幅とする。両側面１３間の長さは任意であるが、後述するように出角に使用する場合には壁用部材１０を中央において縦に半分に切断して使用するので、両側面１３間の長さを長尺の壁用部材との接合部分が出角の柱３０に固着した縦胴縁３２の上にくるような長さが好ましい。具体的には、例えば対向する側面１３間の長さが１６５ｍｍ〜１８３ｍｍであってもよい。
【００１７】
図４は、本発明の壁用部材を使用した出角部分の壁構造を示す断面図である。なお、長尺の壁用部材の長手方向が水平になるように配置する例を開示する。また、構造が理解し易いように隙間等の寸法は誇張して描かれている。前記したように、実施例１の壁用部材１０を出角に使用する場合には中央において縦に半分に切断した壁用部材２０を使用する。
【００１８】
壁用部材２０の表面と側面２１との境界が出角の角にくるように壁用部材２０を配置し、釘２７によって縦胴縁３２に固定する。縦胴縁３２は防水紙３１をはさんで柱３０に固着されている。それぞれの壁面の長尺の壁用部材２３との接合部分には裏側にコーキング剤が接着しないように加工した金属板（ハットジョイナー）２５、２６を配置してコーキング剤２４を充填する。
【００１９】
図５は、本発明の壁用部材を使用した外壁の外観を示す斜視図である。壁用部材２０が上下方向において２つの壁面に交互に配置されるようにする。このように配置することにより、壁用部材の接合部分が連続しないので見栄えが良くなる。
【００２０】
図６は、本発明の壁用部材を使用した両面が外壁である壁の端部構造を示す断面図である。ちょうど壁の厚さと同じ長さの壁用部材１０であれば、図示するように端部を接合部分無しで覆うことが可能である。このような用途に使用する壁用部材１０の長さは例えば１０５ｍｍ以上、１２０ｍｍ以下であってもよい。
【００２１】
なお、壁用部材１０の長さが壁の厚さと異なる場合には、壁用部材１０を壁の厚さの半分の長さに切断し、中央（点線）部分で接合するか、あるいは図４のように壁用部材１０を半分に切断した部材を壁の両面に配置する。
【００２２】
図７は、本発明の壁用部材を使用した鋭角あるいは鈍角の出角部分の壁構造を示す断面図である。鋭角あるいは鈍角の出角部分は、従来のＬ字状部材では施工が困難であるが、本発明の壁用部材を使用することにより、図示するように見栄え良く施工可能である。なお、本発明の壁用部材は斜めの切断などせずに施工可能であるが、壁用部材２０の側面の一部を斜めに切断すれば、より密閉性等が向上する。
【実施例２】
【００２３】
図８は、本発明の他の実施例の構成を示す断面図である。図８（ａ）に示す実施例は壁用部材の側面を更に裏面側に所定の長さだけ延長したものである。このように、壁用部材の接合部を出角の角から少しだけ移動させることにより、より見栄えが良くなる。
【００２４】
図８（ｂ）の実施例は長尺のボードの一方の端部の側面のみが覆われているものである。。この長尺ボードを使用すれば、出角近傍のボードの接合部分の数を従来および実施例１よりも少なくすることができ、見栄えがより良くなる。長さは例えば９１０ｍｍ以上、３０３０ｍｍ以下であってもよい。なお、図８（ｂ）に示す構造で、長尺ではなく、例えば８０ｍｍ〜９０ｍｍ程度の短い壁用部材を製造してもよい。
【図面の簡単な説明】
【００２５】
【図１】本発明の壁用部材の実施例１の構成を示す平面図、側面図である。
【図２】本発明の壁用部材の実施例１の構成を示すＡ−Ａ断面図である。
【図３】本発明の壁用部材の実施例１の構成を示すＢ−Ｂ断面図である。
【図４】本発明の壁用部材を使用した出角部分の壁構造を示す断面図である。
【図５】本発明の壁用部材を使用した外壁の外観を示す斜視図である。
【図６】本発明の壁用部材を使用した壁の端部構造を示す断面図である。
【図７】本発明の壁用部材を使用した鋭角あるいは鈍角の壁構造を示す断面図である。
【図８】本発明の他の実施例の構成を示す断面図である。
【図９】従来のＬ字型パネルを使用した壁構造を示す断面図である。
【符号の説明】
【００２６】
１０…壁用部材
１１…壁用部材の表面
１３…壁用部材の側面
１４…板状の突起
１５…壁用部材の凹部
【図１】
2006169746.tif 000003
【図２】
2006169746.tif 000004
【図３】
2006169746.tif 000005
【図４】
2006169746.tif 000006
【図５】
2006169746.tif 000007
【図６】
2006169746.tif 000008
【図７】
2006169746.tif 000009
【図８】
2006169746.tif 000010
【図９】
2006169746.tif 000011